(57)【要約】      （修正有）【課題】中空状ロータ軸の外周面とダストカバー外側縁の間を密閉し、中空状ロータ軸とダストカバーの間に土及び藁などが侵入するのを防ぐ。【解決手段】センタードライブ構造の駆動ケース１５を備え、この駆動ケースに駆動軸１７を貫通させ、前記駆動軸の先端側にボス軸３０を被嵌させ、また駆動軸１７の軸芯線に対して軸芯線が交差するように、前記駆動ケースとボス軸間の駆動軸に中空状ロータ軸２０を被嵌させ、ボス軸３０と中空状ロータ軸とに耕耘爪２３をそれぞれ設け、前記ボス軸と中空状ロータ軸との間に挟んで配置したダストカバー２８にて、前記中空状ロータ軸の端部を閉塞するように構成してなる耕耘装置において、中空状ロータ軸２０の内部を密封するように、ダストカバー２８の外側縁を中空状ロータ軸の外周面に固定したものである。【選択図】図４
2006034104.tif 000002
【特許請求の範囲】
【請求項１】
センタードライブ構造の駆動ケースを備え、この駆動ケースに駆動軸を貫通させ、前記駆動軸の先端側にボス軸を被嵌させ、また前記駆動軸の軸芯線に対して軸芯線が交差するように、前記駆動ケースとボス軸間の駆動軸に中空状ロータ軸を被嵌させ、前記ボス軸と中空状ロータ軸とに耕耘爪をそれぞれ設け、前記ボス軸と中空状ロータ軸との間に挟んで配置したダストカバーにて、前記中空状ロータ軸の端部を閉塞するように構成してなる耕耘装置において、前記中空状ロータ軸の内部を密封するように、前記ダストカバーの外側縁を中空状ロータ軸の外周面に固定したことを特徴とする耕耘装置。
【請求項２】
前記ダストカバーの外側縁に伸縮自在な蛇腹部を形成し、前記ダストカバーの外側縁と前記中空状ロータ軸の外周面とを前記蛇腹部を介して連結したことを特徴とする請求項１に記載の耕耘装置。
【請求項３】
前記ダストカバーの外周を覆うオーバーダストカバーは弾性材にて形成され、ボス軸と中空状ロータ軸との間にダストカバー及びオーバーダストカバーを挟んで固定し、前記オーバーダストカバーの外側縁と前記中空状ロータ軸の外周面とを連結したことを特徴とする請求項１に記載の耕耘装置。
【発明の詳細な説明】
【技術分野】
【０００１】
本発明は、例えばトラクタなどに装備して圃場の耕土を耕起する耕耘装置に関するものである。
【背景技術】
【０００２】
従来、エンジンからのＰＴＯ動力を伝えるセンタードライブ構造の駆動ケースを備え、この駆動ケースに駆動軸を貫通させ、前記駆動軸の先端側にボス軸を被嵌し、前記駆動軸の軸芯線に対して軸芯線が交差するように、前記駆動ケースとボス軸間の駆動軸に中空状ロータ軸を被嵌させ、前記ボス軸と中空状ロータ軸とに耕耘爪をそれぞれ設け、また前記ボス軸と中空状ロータ軸との間に挟んで配置したダストカバーにて、前記中空状ロータ軸の端部を閉塞するように構成してなる耕耘技術がある (例えば、特許文献１) 。
【特許文献１】特開平８−２８９６０２号公報
【発明の開示】
【発明が解決しようとする課題】
【０００３】
前記従来技術は、前記駆動軸とダストカバーが面摺動する構造であったから、前記駆動軸とダストカバーの接触により、駆動軸とダストカバーの間に土及び藁などが侵入するのを防ぐことが難しい等の問題があった。
【課題を解決するための手段】
【０００４】
然るに、本発明は、請求項１の如く、センタードライブ構造の駆動ケースを備え、この駆動ケースに駆動軸を貫通させ、前記駆動軸の先端側にボス軸を被嵌させ、また前記駆動軸の軸芯線に対して軸芯線が交差するように、前記駆動ケースとボス軸間の駆動軸に中空状ロータ軸を被嵌させ、前記ボス軸と中空状ロータ軸とに耕耘爪をそれぞれ設け、前記ボス軸と中空状ロータ軸との間に挟んで配置したダストカバーにて、前記中空状ロータ軸の端部を閉塞するように構成してなる耕耘装置において、前記中空状ロータ軸の内部を密封するように、前記ダストカバーの外側縁を中空状ロータ軸の外周面に固定したことを特徴とする。
【０００５】
また、請求項２の如く、前記ダストカバーの外側縁に伸縮自在な蛇腹部を形成し、前記ダストカバーの外側縁と前記中空状ロータ軸の外周面とを前記蛇腹部を介して連結したことを特徴とする。
【０００６】
また、請求項３の如く、前記ダストカバーの外周を覆うオーバーダストカバーは弾性材にて構成され、ボス軸と中空状ロータ軸との間にダストカバー及びオーバーダストカバーを挟んで固定し、前記オーバーダストカバーの外側縁と前記中空状ロータ軸の外周面とを連結したことを特徴とする。
【発明の効果】
【０００７】
請求項１に係る発明は、前記中空状ロータ軸の内部を密封するように、前記ダストカバーの外側縁を中空状ロータ軸の外周面に固定したから、前記中空状ロータ軸の外周面とダストカバー外側縁の間が密閉され、中空状ロータ軸とダストカバーの間に土及び藁などが侵入するのを防ぐことができ、中空状ロータ軸とダストカバーの間に侵入する土及び藁などによって中空状ロータ軸の軸受部が損傷する不具合をなくしたり、中空状ロータ軸とダストカバーの外側での藁または草などの巻付きを低減できる。
【０００８】
また、請求項２に係る発明は、前記ダストカバーの外側縁に伸縮自在な蛇腹部を形成し、前記ダストカバーの外側縁と前記中空状ロータ軸の外周面とを前記蛇腹部を介して連結したから、前記蛇腹部の伸縮によって中空状ロータ軸の軸芯線の傾きを吸収でき、前記ダストカバーの外側縁を略同一円周の円形状に形成でき、例えば合成樹脂を材料にして前記ダストカバーを低コストで成形加工できる。
【０００９】
また、請求項３に係る発明は、前記ダストカバーの外周を覆うオーバーダストカバーは弾性材にて構成され、ボス軸と中空状ロータ軸との間にダストカバー及びオーバーダストカバーを挟んで固定し、前記オーバーダストカバーの外側縁と前記中空状ロータ軸の外周面とを連結したから、前記オーバーダストカバーの変形によって中空状ロータ軸の軸芯線の傾きを吸収でき、前記オーバーダストカバーの外側縁を略同一円周の円形状に形成でき、例えば合成樹脂を材料にして前記オーバーダストカバーを低コストで成形加工できる。
【発明を実施するための最良の形態】
【００１０】
以下、本発明の実施例を図面に基づいて詳述する。図１はトラクタの側面図、図２はトラクタの平面図であり、以下、本発明の実施の形態を、トラクタに適用した場合の図面について説明する。
【実施例１】
【００１１】
図１及び図２は、トラクタ１を示し、このトラクタ１は、走行機体２を左右一対の前車輪３と同じく左右一対の後車輪４とで支持し、前記走行機体２の前部に搭載したエンジン５にて前記両後車輪４及び両前車輪３を駆動することにより、前進走行するように構成され、前記走行機体２の上面には、操縦座席６と、前記両前車輪３を左右に動かすことによってかじ取りするようにした操縦ハンドル７とが設けられ、また、前記走行機体２の後部には、前記エンジン５の回転を適宜変速して前記両後車輪４及び両前車輪３に伝達するためのミッションケース８が搭載されている。
【００１２】
前記ミッションケース８の後部上面に、油圧式の作業機用昇降機構（図示せず）が着脱可能に取付けられる。前記走行機体２の後部には、前記作業機用昇降機構によって昇降動するロワーリンク９及びトップリンク１０が設けられている。そして、ロワーリンク９及びトップリンク１０に耕耘作業機１１が連結され、耕耘作業が行われるように構成する。
【００１３】
前記耕耘作業機１１には、前記の各リンク９，１０に連結する作業機フレーム１２と、該フレーム１２に固定されるロータリカバー１３と、ロータリカバー１３によって上面及び側面側を覆う耕耘ロータリ１４とが備えられている。
【００１４】
さらに、図３及び図４に示す如く、前記耕耘作業機１１は、エンジン５からのＰＴＯ動力を伝えるセンタードライブ構造の駆動ケース１５を備える。駆動ケース１５の上部を作業機フレーム１２に固定する。また、駆動ケース１５の下部に左右の軸受ケーシング１６を固定する。各軸受ケーシング１６に駆動軸１７を回転自在に軸支し、駆動ケース１５の下部に駆動軸１７を貫通させる。各軸受ケーシング１６間の駆動軸１７には、駆動スプロケット１８が係合軸支される。前記駆動スプロケット１８に駆動チェン１９が張設され、エンジン５からのＰＴＯ動力によって駆動軸１７が回転されるように構成している。
【００１５】
さらに、前記軸受ケーシング１６及び駆動軸１７に被嵌する中空状ロータ軸２０を備える。中空状ロータ軸２０は、軸受ケーシング１６にベアリング軸受２１を介して回転自在に軸支されている。駆動軸１７の軸芯線Ａに対し、中空状ロータ軸２０の軸芯線Ｂが交差するように、中空状ロータ軸２０を傾斜させて設ける。そして、駆動ケース１５側の中空状ロータ軸２０の基端部に対して、中空状ロータ軸２０の先端部を低くするように、中空状ロータ軸２０が支持される。また、中空状ロータ軸２０の外周面には、爪ホルダ２２が溶接固定され、爪ホルダ２２に耕耘爪２３がボルト２４にて締結されている。
【００１６】
また、前記駆動軸１７に係合させるクラッチ体２５と、該クラッチ体２５に中空状ロータ軸２０を係合させるクラッチボール２６とを備える。そして、前記クラッチ体２５及びクラッチボール２６を介して、駆動軸１７に中空状ロータ軸２０を連結して、一体的に回転するように構成している。また、中空状ロータ軸２０の内周側と、クラッチ体２５の外周側との間に、弾性シール材２７を嵌着させている。
【００１７】
さらに、前記中空状ロータ軸２０の外側端部を覆うダストカバー２８を備える。このダストカバー２８の内側に弾性シール材２７が配置される。また、ダストカバー２８の略円形の外周縁には、伸縮自在な蛇腹部２８ａが連結されている。蛇腹部２８ａは、この端部が中空状ロータ軸２０の外周面にビス２９によって固定される。
【００１８】
さらに、前記駆動軸１７の先端側に被嵌するボス軸３０を備える。ボス軸３０にホルダ３１が溶接固定される。該ホルダ３１に耕耘爪３２がボルト３３によって締結されている。そして、駆動軸１７にボス軸３０がスプライン３０ａ嵌合及びボルト（図示省略）にて固定された状態で、中空状ロータ軸２０に固定されるクラッチ体２５の端面と、ボス軸３０の端面との間に、ダストカバー２８の略円形の内周縁部２８ｂが挟まれて固定される。
【００１９】
上記の構成により、圃場で耕耘作業を行うとき、耕耘作業機１１を着地させ、耕耘爪２３，２４を回転させ、土を耕起する。このとき、軸芯線Ｂが傾いている中空状ロータ軸２０の回転に伴い、この中空状ロータ軸２０外周の耕耘爪２３により、センタードライブ構造の駆動ケース１５の略真下の土が耕起され、駆動ケース１５の周辺部に残耕が発生する不具合をなくしている。また、前記のように耕耘作業が行われるとき、中空状ロータ軸２０の外周面と、ダストカバー２８外側縁部の間が、該カバー２８の蛇腹部２８ａによって密閉されるから、中空状ロータ軸２０とダストカバー２８の間に土または藁などが入り込むのが防止される。
【００２０】
上記から明らかなように、センタードライブ構造の駆動ケース１５を備え、この駆動ケース１５に駆動軸１７を貫通させ、駆動軸１７の先端側にボス軸３０を被嵌させ、また駆動軸１７の軸芯線に対して軸芯線が交差するように、駆動ケース１５とボス軸３０間の駆動軸１７に中空状ロータ軸２０を被嵌させ、ボス軸３０と中空状ロータ軸２０とに耕耘爪２３，３２をそれぞれ設け、ボス軸３０と中空状ロータ軸２０との間に挟んで配置したダストカバー２８にて、中空状ロータ軸２０の端部を閉塞するように構成してなる耕耘装置において、中空状ロータ軸２０の内部を密封するように、ダストカバー２８の外側縁２８ａを中空状ロータ軸２０の外周面に固定したから、中空状ロータ軸２０の外周面とダストカバー２８外側縁の間が密閉され、中空状ロータ軸２０とダストカバー２８の間に土及び藁などが侵入するのを防ぐことができ、中空状ロータ軸２０とダストカバー２８の間に侵入する土及び藁などによって中空状ロータ軸２０の軸受部が損傷する不具合をなくしたり、中空状ロータ軸２０とダストカバー２８の外側での藁または草などの巻付きを低減できる。
【００２１】
また、前記ダストカバー２８の外側縁に伸縮自在な蛇腹部２８ａを形成し、ダストカバー２８の外側縁と前記中空状ロータ軸２０の外周面とを蛇腹部２８ａを介して連結したから、蛇腹部２８ａの伸縮によって中空状ロータ軸２０の軸芯線Ｂの傾きを吸収でき、ダストカバー２８の外側縁を略同一円周の円形状に形成でき、例えば合成樹脂を材料にしてダストカバー２８を低コストで成形加工できる。
【実施例２】
【００２２】
さらに、図５及び図６に示す如く、ダストカバー２８の外側を覆う形状に構成されるオーバーダストカバー３４を備える。オーバーダストカバー３４は、例えば合成ゴムなどの弾性材にて構成される。またオーバーダストカバー３４の外側縁部３４ａを、中空状ロータ軸２０の外周面に、ビス２９によって固定させる。そして、オーバーダストカバー３４の内側縁部３４ｂを、ダストカバー２８とともに、中空状ロータ軸２０とボス軸３０との間に挟んで固定し、オーバーダストカバー３４の内部にダストカバー２８を密封するように構成している。
【００２３】
上記の構成により、上記の実施例と同様に、圃場で耕耘作業を行うとき、軸芯線Ｂが傾いている中空状ロータ軸２０の回転に伴い、この中空状ロータ軸２０外周の耕耘爪２３により、センタードライブ構造の駆動ケース１５の略真下の土が耕起され、駆動ケース１５の周辺部に残耕が発生する不具合をなくしている。また、前記のように耕耘作業が行われるとき、中空状ロータ軸２０の外周面と、ダストカバー２８外側縁部の間が、オーバーダストカバー３４によって密閉されるから、中空状ロータ軸２０とダストカバー２８の間に土または藁などが入り込むのが防止される。
【００２４】
上記から明らかなように、前記ダストカバー２８を覆うオーバーダストカバー３４は弾性材にて構成され、ボス軸３０と中空状ロータ軸２０との間にダストカバー２８及びオーバーダストカバー３４を挟んで固定し、前記オーバーダストカバー３４の外側縁３４ａと前記中空状ロータ軸２０の外周面とを連結したから、前記オーバーダストカバー３４の変形によって中空状ロータ軸２０の軸芯線Ｂの傾きを吸収でき、前記オーバーダストカバー３４の外側縁３４ａを略同一円周の円形状に形成でき、例えば合成樹脂を材料にして前記オーバーダストカバー３４を低コストで成形加工できる。
【００２５】
さらに、図７は、サイドドライブ構造の耕耘ロータリ１４の部分図である。サイドドライブ構造の駆動ケース３５を備える。駆動ケース３５の下部に軸受体３６を固定する。該軸受体３６にロータ軸３７を回転自在に軸支し、駆動ケース３５の下部に駆動軸３７を配設する。また、駆動ケース３５内部の駆動軸３７には、駆動スプロケット３８が係合軸支される。駆動スプロケット３８に駆動チェン３９が張設され、エンジン５からのＰＴＯ動力によって駆動軸３７が回転されるように構成している。
【００２６】
さらに、前記駆動ケース３５外部に駆動軸３７を突出させる。この駆動軸３７の端部に受け板４０を溶接固定する。また、駆動軸３７の端部に円筒形の爪軸４１端部を被嵌させる。爪軸４１端部にフランジ４２を溶接固定する。そして、受け板４０と、フランジ４２とを、ボルト４３によって締結し、駆動軸３７に爪軸４１を固定する。なお、上記実施例と同様に、爪軸４１にホルダ３１が溶接固定される。該ホルダ３１に耕耘爪３２がボルト３３によって締結され、複数の耕耘爪３２が爪軸４１に配設されている。
【００２７】
また、前記フランジ４２には、側部耕耘爪４４がボルト４５によって締結される。このように、側部耕耘爪４４をフランジ４２に固定した場合、仮想線で示すように側部耕耘爪をホルダに固定させる従来構造と比べると、フランジ４２に固定した側部耕耘爪４４と、駆動ケース３５との間隔Ｌを狭く形成できる。したがって、駆動ケース３５と側部耕耘爪４４との間に巻き込む草及び土を低減でき、駆動軸３７のダストカバー４５取付け部など、駆動軸３７回転部に巻き付く草または土を低減でき、草が巻き付いても容易に除去でき、巻き付いた草が発熱したり炭化するのを防止できる。
【図面の簡単な説明】
【００２８】
【図１】トラクタの全体側面図である。
【図２】同平面図である。
【図３】蛇腹部を有するダストカバーを取り付けた説明図である。
【図４】図３の拡大説明図である。
【図５】オーバーダストカバーを取り付けた説明図である。
【図６】図５の拡大説明図である。
【図７】側部耕耘爪を設ける説明図である。
【符号の説明】
【００２９】
１５  駆動ケース
１７  駆動軸
２０  中空状ロータ軸
２３  耕耘爪
２８  ダストカバー
２８ａ  蛇腹部
３０  ボス軸
３２  耕耘爪
３４  オーバーダストカバー
３４ａ  オーバーダストカバーの外側縁
Ａ  ロータ軸の軸芯線
Ｂ  中空状ロータ軸の軸芯線
【図１】
2006034104.tif 000003
【図２】
2006034104.tif 000004
【図３】
2006034104.tif 000005
【図４】
2006034104.tif 000006
【図５】
2006034104.tif 000007
【図６】
2006034104.tif 000008
【図７】
2006034104.tif 000009